(57)【特許請求の範囲】
【請求項１】
第１枠と、前記第１枠の内部に配置され、前記第１枠に対して相対的に移動可能な第２枠と、を備える鏡筒であって、
前記第１枠には第１電気基板が設けられ、当該第１電気基板は、前記第１枠の底面から配線され、かつ、前記第１枠の底面から屈曲されることで前記第１枠の側面に配線され、
前記第２枠には第２電気基板が設けられ、当該第２電気基板は前記第１枠の側面まで配線され、
前記第２電気基板の一端部は、前記第１枠の側面上で前記第１電気基板と取り外し可能に電気接続され、
さらに前記第２電気基板は、前記第２枠の移動に伴い屈曲する可動部を有し、前記可動部と前記一端部の間の一部が、前記第１枠に係止又は固定され、
さらに前記第１枠は、側面に係止片を有し、前記係止片は前記第１枠の側面に対して直角をなす直角面を備え、前記第２電気基板の一端部は、凸部を有し、前記直角面に前記凸部が係止され、
前記第１電気基板は、電気接続のための差込受け部を有し、
前記第２電気基板は、電気接続のための差込部を有し、
前記差込部の先端を前記差込受け部に挿入することで、前記第１電気基板と前記第２電気基板を電気接続する、
鏡筒。
【請求項２】
前記第１枠は、ピンを備え、前記第２電気基板は、貫通孔を有し、前記ピンに前記貫通孔が圧入されることにより、前記可動部と前記一端部の間の一部が、前記第１枠に固定される、
請求項１に記載の鏡筒。
【発明の詳細な説明】
【技術分野】
【０００１】
本発明は、鏡筒およびレンズ鏡筒に関するものである。
【背景技術】
【０００２】
近年、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  ｍｅｔａｌ−ｏｘｉｄｅ  Ｓｅｍｉｃｏｎｄｕｃｔｏｒ）センサ等の撮像素子を用いたデジタルスチルカメラやビデオムービーの普及が著しい。一般に、これらのデジタルスチルカメラやビデオムービーには、被写体の光学像を撮像素子に結像させるためのレンズ鏡筒が取り付けられている。特に、デジタルスチルカメラでは、撮影をしない場合、レンズ鏡筒をカメラ本体に収納する沈胴式タイプが普及している。沈胴式のレンズ鏡筒は、例えば、特許文献１に開示されている。
【０００３】
特許文献１に記載されたように、沈胴式のレンズ鏡筒は、固定鏡筒と第１の移動鏡筒と第２の移動鏡筒とを備えている。固定鏡筒はカメラ本体に配置され、第２の移動鏡筒は固定鏡筒の内側に保持され、第1の移動鏡筒は第２の移動鏡筒の内側に保持されている。
【０００４】
沈胴式のレンズ鏡筒では、撮影をする場合には、固定鏡筒に対して第２の移動鏡筒が繰り出されたり、第２の移動鏡筒に対して第１の移動鏡筒が繰り出されたりする。第１、第２の移動鏡筒が前方に繰り出された際は、第１の移動鏡筒が最前面に繰り出される。逆に、撮影をしない場合は、第１の移動鏡筒が第２の移動鏡筒に収納され、第２の移動鏡筒が固定鏡筒に収納され、カメラ本体にレンズ鏡筒が収納される。
【０００５】
このレンズ鏡筒は、被写体の光学像のフォーカス調整やズーム調整をするための機構を備えている。例えば、光学像を取り込むためのレンズ群やズーム用のレンズ群やフォーカス用のレンズ群をレンズ鏡筒の内部に配置している。撮影をする場合には、各々のレンズ群の間隔を変化させることによって、光学像のズームやフォーカスを調整している。
【０００６】
具体的には、光学像を取り込むためのレンズ群を第１のレンズ枠に取り付けて第１の移動鏡筒に保持させ、ズーム用のレンズ群を第２のレンズ枠に取り付けて第２の移動鏡筒に保持させ、フォーカス用のレンズ群を第３のレンズ枠に取り付けて固定鏡筒に保持させている。そして、固定鏡筒に対して第１、第２の移動鏡筒を繰り出したり、第２の移動鏡筒に対してズーム用のレンズ群を光軸上に移動させたり、第３の移動鏡筒に対してフォーカス用のレンズ群を光軸上に移動させたりして、各々のレンズ群の間隔を変化させている。また、第２のレンズ枠はシャッターユニットを備えており、このシャッターユニットによってズーム用のレンズ群のシャッターを開閉している。
【０００７】
図９は、従来のレンズ鏡筒の沈胴時の背面側斜視図である。
【０００８】
図９を用いて、信号伝達用のフレキシブル配線について説明する。このレンズ鏡筒には、第１、第２の移動鏡筒を繰り出したり収納したりするためのアクチュエータ１０が配置されている。このアクチュエータ１０を制御する電気信号は信号伝達用の第１フレキシブル配線２０を介して伝達されている。また、シャッターユニットを制御する電気信号は信号伝達用の第２フレキシブル配線３０を介して伝達されている。
【０００９】
第１フレキシブル配線２０と第２フレキシブル配線３０に伝達される電気信号は、カメラ本体から供給される。特に、第２フレキシブル配線３０は、第１フレキシブル配線２０に重ねて、固定鏡筒の端面（光軸面）にて、半田４０を用いて電気的に接続されている。第２フレキシブル配線３０はレンズ鏡筒の内側から外側に引き出されて、第１フレキシブル配線２０と接続されており、第２フレキシブル配線３０には、第１フレキシブル配線２０を介して、電気信号が伝達される。このようなカメラ本体に複数のフレキシブル配線を配置して、それらのフレキシブル配線を互いに電気的に接続する構成については、特許文献２に開示されている。
【先行技術文献】
【特許文献】
【００１０】
【特許文献１】特開２００８−１８５７８６号公報
【特許文献２】特開２００３−２２８１０７号公報
【発明の概要】
【発明が解決しようとする課題】
【００１１】
上記従来のレンズ鏡筒は、アクチュエータ１０を制御する第１フレキシブル配線２０と、シャッターユニットを制御する第２フレキシブル配線３０とを、固定鏡筒の端面（光軸面）にて、半田４０を用いて電気的に接続している。
【００１２】
一般に、半田を用いて電気的な接続をする場合は、加熱されたピンを半田に接触させて、半田を溶融させながら行う。そして、半田からピンを引き抜く際には、ピンの引き抜き方向に半田が伸びた状態となり、そのまま半田が固化されることがある。この場合、この伸びによって、固化された半田には１ｍｍ程度の余分な厚みが発生する。
【００１３】
すなわち、上記構成では、この半田４０の厚みや、第１、第２フレキシブル配線２０、３０の重ねあわせによる厚みに起因して、数ｍｍ程度ではあるが、レンズ鏡筒の厚み（光軸方向の厚み）も厚くなりやすかった。
【００１４】
特に、沈胴式タイプのコンパクトデジタルカメラは非常に薄型化が進んでおり、レンズ鏡筒の厚みをいかに薄くできるかが重要となる。しかし、上記構成では、半田４０の厚みや第1、第２フレキシブル配線２０、３０の重ねあわせによる厚みによって、レンズ鏡筒の薄型化を図ることが難しいという問題を有していた。
【００１５】
本発明は上記問題を解決するもので、薄型化を図った鏡筒およびレンズ鏡筒を提供することを目的としている。
【課題を解決するための手段】
【００１６】
上記目的を達成するために本発明のレンズ鏡筒は、光軸を有する、少なくとも１枚のレンズと、前記光軸に略垂直な第１面と前記第１面に隣接する第２面とを有する第１枠と、少なくとも１つの電装物と、前記電装物を保持する第２枠と、前記第１枠に一部が固定され、前記第１面から前記第２面に曲げられる屈曲部を有する第１電気基板と、前記第２枠に一部が固定される第２電気基板と、を備え、前記第１電気基板と前記第２電気基板は、前記第２面上で電気接続される構成である。
【００１７】
また、上記目的を達成するために本発明の鏡筒は、第１枠と、前記第１枠に対して範囲で相対的に移動可能な第２枠と、を備える鏡筒であって、  前記第１枠には第１電気基板が設けられ、当該第１電気基板は、前記第１枠の底面から配線され、かつ、前記第１枠の底面から屈曲されることで側面に配線され、  前記第２枠には第２電気基板が設けられ、当該第２電気基板は前記第１枠の側面まで配線され、  前記第１電気基板は、前記第１枠の側面上で前記第２電気基板と接続される、構成である。
【発明の効果】
【００１８】
本発明の鏡筒およびレンズ鏡筒によれば、鏡筒およびレンズ鏡筒の厚み（光軸方向の厚み）が厚くなることがない。したがって、鏡筒およびレンズ鏡筒の薄型化を図れる。
【図面の簡単な説明】
【００１９】
【図１】一実施の形態におけるレンズ鏡筒のＷｉｄｅ時の断面図
【図２】同レンズ鏡筒のＴｅｌｅ時の断面図
【図３】同レンズ鏡筒の沈胴時の断面図
【図４】同レンズ鏡筒の沈胴時の背面側斜視図
【図５】同レンズ鏡筒の沈胴時の背面図
【図６】図４のＡ部における第１、第２フレキシブル配線の接続時の状態を示す斜視図
【図７】図４のＡ部における第１、第２フレキシブル配線の接続前の状態を示す正面側斜視図
【図８】図４のＡ部における第１、第２フレキシブル配線の接続前の状態を示す背面側斜視図
【図９】従来のレンズ鏡筒の沈胴時の背面側斜視図
【発明を実施するための形態】
【００２０】
以下、一実施の形態におけるレンズ鏡筒およびそれを用いた撮像装置について図面を参照しながら説明する。図１は一実施の形態におけるレンズ鏡筒のＷｉｄｅ時（ズーム倍率を１倍とした通常撮影時）の断面図であり、図２は同レンズ鏡筒のＴｅｌｅ時（ズーム倍率を最大倍率とした最大望遠時）の断面図であり、図３は同レンズ鏡筒の沈胴時（非撮影時）の断面図である。
【００２１】
＜レンズ鏡筒１００の全体構成と動作について＞
レンズ鏡筒１００の全体構成と動作について説明する。図１〜図３において、レンズ鏡筒１００は、固定鏡筒１１０と、この固定鏡筒１１０の内側に保持された移動鏡筒１２０とを備えている。この移動鏡筒１２０は固定鏡筒１１０に対して前方に繰り出されたり、固定鏡筒１１０の内部に収納されたりするように移動する。
【００２２】
移動鏡筒１２０は、第１の移動鏡筒１２０ａと、第２の移動鏡筒１２０ｂと、第３の移動鏡筒１２０ｃとを備えている。第３の移動鏡筒１２０ｃの内側に第２の移動鏡筒１２０ｂが保持され、第２の移動鏡筒１２０ｂの内側に第１の移動鏡筒１２０ａが保持されている。第３の移動鏡筒１２０ｃに対して第２の移動鏡筒１２０ｂが繰り出され、第２の移動鏡筒１２０ｂに対して第１の移動鏡筒１２０ａが繰り出される。また、第３の移動鏡筒１２０ｃに第２の移動鏡筒１２０ｂが収納され、第２の移動鏡筒１２０ｂに第１の移動鏡筒１２０ａが収納される。このように、固定鏡筒１１０に対して第１〜第３の移動鏡筒１２０ａ〜１２０ｃが前方に繰り出されたり、固定鏡筒１１０に第１〜第３の移動鏡筒１２０ａ〜１２０ｃが収納されたりする。第１〜第３の移動鏡筒１２０ａ〜１２０ｃが前方に繰り出された際は、第１の移動鏡筒１２０ａが最前面に繰り出される。
【００２３】
第１の移動鏡筒１２０ａには、第１のレンズ枠１３０ａを介して第１のレンズ群１４０ａが保持され、第２の移動鏡筒１２０ｂには、第２のレンズ枠１３０ｂを介して第２のレンズ群１４０ｂが保持され、固定鏡筒１１０には、第３のレンズ枠１３０ｃを介して第３のレンズ群１４０ｃが保持されている。第１のレンズ枠１３０ａは第１の移動鏡筒１２０ａに固定され、第２のレンズ枠１３０ｂは第２の移動鏡筒１２０ｂに光軸上に移動自在に保持され、第３のレンズ枠１３０ｃは固定鏡筒１１０に光軸上に移動自在に保持されている。
【００２４】
第１〜第３のレンズ群１４０ａ〜１４０ｃは、それぞれ複数枚のレンズを組み合わせて構成されている。第１のレンズ群１４０ａは被写体の光学像を取り込むためのレンズ群であり、第２のレンズ群１４０ｂはズーム用のレンズ群であり、第３のレンズ群１４０ｃはフォーカス用のレンズ群である。撮影をする場合、第１〜第３のレンズ群１４０ａ〜１４０ｃの間隔を変化させることによって、光学像のズームやフォーカスを調整している。
【００２５】
＜レンズ鏡筒１００の詳細説明について＞
次に、レンズ鏡筒１００について詳細に説明する。図１〜図３において、第１の移動鏡筒１２０ａは、前面に第１のレンズ群１４０ａを保護するためのバリアユニット１５０を備えている。このバリアユニット１５０には開閉羽１５０ａが保持されており、撮影時には開閉羽１５０ａが開き、非撮影時には開閉羽１５０ａが閉じて、第１のレンズ群１４０ａを保護している。
【００２６】
第２の移動鏡筒１２０ｂは、円筒状のカメラカム枠１６０と、このカメラカム枠１６０の内側に保持された円筒状の直進枠１７０とを備えている。この直進枠１７０の内側に第１の移動鏡筒１２０ａが光軸上に移動自在に保持されるとともに、この直進枠１７０に第２のレンズ枠１３０ｂが光軸上に移動自在に保持されている。カメラカム枠１６０の内面にはカム溝が形成されており、このカム溝によって、第１のレンズ群１４０ａ、第２のレンズ群１４０ｂを光軸方向に移動させる。直進枠１７０には直進溝が形成されており、この直進枠１７０によって、第１のレンズ群１４０ａ、第２のレンズ群１４０ｂを直進させる。
【００２７】
また、ズーム用の第２のレンズ群１４０ｂを保持した第２のレンズ枠１３０ｂはシャッターユニット１８０や手ブレ補正機構１８５や絞り機構等を備えている。シャッターユニット１８０によってズーム用の第２のレンズ群１４０ｂのシャッター１８０ａを開閉し、手ブレ補正機構１８５によって手ブレ補正を行い、絞り機構によって絞りの調整をしている。
【００２８】
第３の移動鏡筒１２０ｃは、円筒状の駆動枠２１０と、この駆動枠２１０の内側に保持された貫通カム枠２２０とを備えている。この貫通カム枠２２０の内側に第２の移動鏡筒１２０ｂが光軸上に移動自在に保持されている。
【００２９】
固定鏡筒１１０は、円筒状の固定枠２３０と、この固定枠２３０に固定された円筒状のマスターフランジ２４０とを備えている。この固定枠２３０の内側に第３の移動鏡筒１２０ｃが光軸上に移動自在に保持されるとともに、この固定枠２３０に第３のレンズ枠１３０ｃが光軸上に移動自在に保持されている。また、マスターフランジ２４０の中心部には、赤外線遮断用のＩＲカットガラス２５０を介してＣＣＤユニット２６０が光軸上に配置されている。
【００３０】
＜第１フレキシブル配線３１０と第２フレキシブル配線３２０の詳細説明について＞
次に、第１フレキシブル配線３１０と第２フレキシブル配線３２０について詳細に説明する。図４は同レンズ鏡筒の沈胴時の背面側斜視図、図５は同レンズ鏡筒の沈胴時の背面図である。
【００３１】
図４、図５に示すように、レンズ鏡筒１００の周面には、アクチュエータ３００が配置されている。このアクチュエータ３００によって、固定鏡筒１１０に対して移動鏡筒１２０を繰り出させたり収納させたりしている。
【００３２】
アクチュエータ３００には、信号伝達用の第１フレキシブル配線３１０の一方の端部が接続されている。第１フレキシブル配線３１０の他方の端部は、カメラ本体の制御部（図示せず）に接続されている。カメラ本体の制御部から第１フレキシブル配線３１０を介して電気信号が伝達され、アクチュエータ３００が制御される。この第１フレキシブル配線３１０の一方の端部は２つに分離されており、一方の分離端がアクチュエータ３００に接続されている。
【００３３】
また、図１に示すように、シャッターユニット１８０や手ブレ補正機構１８５や絞り機構等に、信号伝達用の第２フレキシブル配線３２０が接続されている。この第２フレキシブル配線３２０を介して各々の機構が制御される。この第２フレキシブル配線３２０は、移動鏡筒１２０または固定鏡筒１１０の内側等、レンズ鏡筒１００の内側に配置されている。第２フレキシブル配線３２０の一方の端部は、第２のレンズ枠１３０ｂに配置した制御端子部に接続され、第２フレキシブル配線３２０の他方の端部は、固定鏡筒１１０に向かって光軸と平行な方向へ引き出されている。
【００３４】
図６は図４のＡ部における第１、第２フレキシブル配線３１０、３２０の接続時の状態を示す斜視図、図７、図８は図４のＡ部における第１、第２フレキシブル配線３１０、３２０の接続前の状態を示す正面側斜視図、背面側斜視図である。
【００３５】
図６〜図８に示すように、第１フレキシブル配線３１０の他方の分離端には差込受け部３１４が形成されており、第２フレキシブル配線３２０の他方の端部には差込部３２４が形成されている。この第１フレキシブル配線３１０の差込受け部３１４に第２フレキシブル配線３２０の差込部３２４を挿入して、差込受け部３１４に配置した接点部（図示せず）と差込部３２４に配置した接点部３２５とを電気的に接触させて導通させている。すなわち、カメラ本体の制御部から第１フレキシブル配線３１０を介して電気信号が伝達され、第２フレキシブル配線３２０に接続されたシャッターユニット１８０や手ブレ補正機構１８５や絞り機構等が制御される。
【００３６】
この第１フレキシブル配線３１０および第２フレキシブル配線３２０は、樹脂製フィルムで形成している。第１フレキシブル配線３１０の差込受け部３１４は樹脂部品を取り付けて形成しており、第２フレキシブル配線３２０の差込部３２４はその形状にあわせて補強板３４０を接着剤で貼付して形成している。また、第２フレキシブル配線３２０の差込部３２４には、先端から少し離れた位置に凸部３２６を配置している。
【００３７】
図４に示すように、第１フレキシブル配線３１０の差込受け部３１４と第２フレキシブル配線３２０の差込部３２４は、レンズ鏡筒１００の周面に配置し、光軸方向と同方向に向かって、差込受け部３１４に差込部３２４を挿入している。このレンズ鏡筒１００の周面には、差込部３２４の凸部３２６が係止される係止片３３０を配置している。この係止片３３０に差込部３２４の凸部３２６を係止させ、差込部３２４の先端を差込受け部３１４に挿入し、第１フレキシブル配線３１０と第２フレキシブル配線３２０とを電気的に接続している。
【００３８】
係止片３３０は、光軸方向と直角をなす直角面３３０ａを有しており、この直角面３３０ａに差込部３２４の凸部３２６を光軸方向に係止させている。係止の方法は、係止片３３０に凹部や貫通孔等を設けて、差込部３２４を挿入して係止させればよい。なお、差込部３２４には接着剤で補強板３４０を貼付しているが、これによって、差し込み力による変形を防止している。
【００３９】
また、ズーム動作等により、図１〜図３に示すように、第２フレキシブル配線３２０は伸縮するが、この第２フレキシブル配線３２０の伸縮時に、引っ張り応力が発生して、差込受け部３１４から差込部３２４が抜けて断線するおそれがある。そのために、マスターフランジ２４０に配置したピン２４０ａを、第２フレキシブル配線３２０に配置した貫通孔に圧入させている。これにより、第２フレキシブル配線３２０が固定されるので、引っ張り応力が発生しても、差込受け部３１４から差込部３２４が抜けることがない。
【００４０】
＜差込部３２４と差込受け部３１４との接続位置について＞
図４に示すように、レンズ鏡筒１００には、カメラ本体（図示せず）にレンズ鏡筒１００を固定保持するためのネジ用貫通孔３５０と、アクチュエータ３００との間にスペースがある。このネジ用貫通孔３５０とアクチュエータ３００とのスペースに係止片３３０を配置し、差込部３２４を差込受け部３１４に挿入している。
【００４１】
＜レンズ鏡筒１００を用いた撮像装置について＞
次に、撮像装置について説明する。撮像装置としては、ＣＣＤやＣＭＯＳセンサ等の撮像素子を用いたデジタルスチルカメラやビデオムービー等が挙げられる。これらのデジタルスチルカメラやビデオムービーには、被写体の光学像を撮像装置に結像させるために、上述したレンズ鏡筒１００を取り付ければよい。
【００４２】
＜一実施の形態のまとめ＞
上記構成のレンズ鏡筒１００およびそれを用いた撮像装置によれば、固定鏡筒１１０の周面にて第１フレキシブル配線３１０と第２フレキシブル配線３２０とを電気的に接続しているので、レンズ鏡筒１００の厚み（光軸方向の厚み）が厚くなることがない。したがって、レンズ鏡筒１００の光軸方向の寸法を小さくできる。
【００４３】
また、第１フレキシブル配線３１０の端部に差込部３２４を配置し、第２フレキシブル配線３２０の端部に差込受け部３１４を配置し、差込部３２４を差込受け部３１４に挿入して、第１フレキシブル配線３１０と第２フレキシブル配線３２０とを電気的に接続しているので、従来のように半田を用いて電気的に接続する必要がない。すなわち、半田を用いて電気的に接続した場合は、カメラ本体の電子部品等とショートしないように、絶縁部材を配置したり、電子部品との間隔を大きくとったりする必要があったが、上記構成によれば、このような必要もなく、設計自由度を向上できる。
【００４４】
また、差込受け部３１４に対する差込部３２４の差込方向を光軸方向と同方向にしているので、第１フレキシブル配線３１０および第２フレキシブル配線３２０も光軸方向に引き出せる。すなわち、第１、第２フレキシブル配線３２０の引き出し部分を直線的な形状にできる。これによって、レンズ鏡筒１００が繰り出されたり収納されたりする際に、第１、第２フレキシブル配線３２０に引っ張り応力や圧縮応力が生じても、直線的な応力が加わるだけで応力が集中する部分が少なくなり、断線防止を図れる。
【００４５】
また、差込部３２４には接着剤で補強板３４０を貼付しているので、配線部分に比べて差込口が硬くなるので、差込受け部３１４に差込部３２４を挿入しやすくなる。一般的に、フレキシブル配線は樹脂製フィルムで形成されているが、この樹脂製フィルムのままの差込部では、差込部が撓みやすく、差込受け部３１４に挿入しづらい場合がある。しかし、上記構成によれば、差込部３２４は一定の硬さを保持するので、挿入が容易となる。
【００４６】
また、差込部３２４の補強板３４０を固定鏡筒に配置した固定枠に係止しているので、差込部３２４が差込受け部３１４より離脱しづらく、接続信頼性を向上できる。
【００４７】
また、レンズ鏡筒１００をカメラ本体（図示せず）に固定保持するためのネジ用貫通孔３５０とアクチュエータ３００との空きスペース等、なるべくレンズ鏡筒１００の中心軸に近いデッドスペースに、差込部３２４と差込受け部３１４とを配置しているので、レンズ鏡筒１００の外径サイズを抑制できる。
【００４８】
なお、本実施の形態では、第１フレキシブル配線３１０の端部に差込部３２４を配置し、第２フレキシブル配線３２０の端部に差込受け部３１４を配置したが、第１フレキシブル配線３１０の周面に差込受け部３１４を配置し、２つの差込部３２４を差込受け部３１４に挿入して、第１フレキシブル配線３１０と第２フレキシブル配線３２０とを電気的に接続してもよい。
【００４９】
また、本実施の形態では、第１フレキシブル配線３１０の端部に差込部３２４を配置し、第２フレキシブル配線３２０の端部に差込受け部３１４を配置したが、第１フレキシブル配線３１０の端部に差込受け部３１４を配置し、第２フレキシブル配線３２０の端部に差込部３２４を配置しても良い。
【００５０】
また、差込部３２４には接点部３２５が露出するように配置されるので、差込部３２４の接点部３２５を介して、検査工程時等において、差込部３２４を配置した第１フレキシブル配線３１０または第２フレキシブル配線３２０に接続された機器の導通チェックを簡単に行うことができる。
【００５１】
以上のように本実施の形態によれば、固定鏡筒１１０の周面にて第１フレキシブル配線３１０と第２フレキシブル配線３２０とを電気的に接続しているので、レンズ鏡筒１００の厚み（光軸方向の厚み）が厚くなることがない。したがって、レンズ鏡筒１００の光軸方向の寸法を小さくできるので、レンズ鏡筒の薄型化を図れるとともに、撮像装置の薄型化を図れる。
【産業上の利用可能性】
【００５２】
本発明は、デジタルカメラやビデオムービー等の鏡筒およびレンズ鏡筒に適用可能である。
【符号の説明】
【００５３】
１００    レンズ鏡筒
１１０    固定鏡筒
１２０    移動鏡筒
１２０ａ    第１の移動鏡筒
１２０ｂ    第２の移動鏡筒
１２０ｃ    第３の移動鏡筒
１３０ａ    第１のレンズ枠
１３０ｂ    第２のレンズ枠
１３０ｃ    第３のレンズ枠
１４０ａ    第１のレンズ群
１４０ｂ    第２のレンズ群
１４０ｃ    第３のレンズ群
１５０    バリアユニット
１５０ａ    開閉羽
１６０    カメラカム枠
１７０    直進枠
１８０    シャッターユニット
１８０ａ    シャッター
１８５    手ブレ補正機構
２１０    駆動枠
２２０    貫通カム枠
２３０    固定枠
２４０    マスターフランジ
２５０    ＩＲカットガラス
２６０    ＣＣＤユニット
３００    アクチュエータ
３１０    第１フレキシブル配線
３１４    差込受け部
３２０    第２フレキシブル配線
３２４    差込部
３２５    接点部
３２６    凸部
３３０    係止片
３４０    補強板
３５０    ネジ用貫通孔
【図１】
0005515622.tif 000002
【図２】
0005515622.tif 000003
【図３】
0005515622.tif 000004
【図４】
0005515622.tif 000005
【図５】
0005515622.tif 000006
【図６】
0005515622.tif 000007
【図７】
0005515622.tif 000008
【図８】
0005515622.tif 000009
【図９】
0005515622.tif 000010